(57)【要約】【課題】  アプリケーション間の連帯性を高め、操作性を向上した携帯情報端末装置を提供する。【解決手段】  電話または電子メールの発信履歴情報を記憶するための発信履歴情報記憶手段により、電話発信操作後の通話不成立時の通話不成立記録や、電子メール送信失敗時の送信失敗記録を、電話通話不成立時やメール送信失敗時の次回電話通話、または次回メール送信を促すためのToDoデータとして新規登録させ、ToDo表示画面上で表示するようにした。【選択図】  図１
2004260864.tif 000002
【特許請求の範囲】
【請求項１】
未処理事項管理アプリケーションに未処理事項管理データを入力するデータ入力手段と、上記入力された未処理事項管理データを表示するためのデータ表示手段と、上記入力した未処理事項管理データを記憶するデータ記憶手段と、外部の機器と通信を行うための通信手段とを備えた携帯情報端末装置において、
上記通信手段を制御して外部の機器と通信を行うための通信アプリケーションと、
上記通信手段による発信操作の発信履歴情報を記憶する発信履歴情報記憶手段と、
上記通信手段による発信操作の結果、外部の機器との通信が確立しなかった場合に、該発信操作の発信履歴情報を上記未処理事項管理アプリケーションに登録する発信履歴情報登録手段とを備えた、
ことを特徴とする携帯情報端末装置。
【請求項２】
請求項１に記載の携帯情報端末装置において、
前記未処理事項管理アプリケーションはToDoアプリケーションであり、
前記通信アプリケーションは電話アプリケーションである、
ことを特徴とする携帯情報端末装置。
【請求項３】
請求項１に記載の携帯情報端末装置において、
前記発信履歴情報は、電話発信した日付、時刻、ToDo概要、電話発信先相手電話番号である、
ことを特徴とする携帯情報端末装置。
【発明の詳細な説明】
【技術分野】
【０００１】
本発明は携帯情報端末装置に関し、特に通信アプリケーションの制御、及び通信に関する情報の管理の効率化を図ったものに関するものである。
【背景技術】
【０００２】
近年、携帯情報端末（ＰＤＡ：Personal Digital Assistants ）が普及し、様々なユーザーインターフェースを有するものが見受けられる。このような携帯情報端末が備えている機能として、自己のスケジュール管理や住所録管理、日記、メモ、世界時計等の個人情報管理（ＰＩＭ：Personal Information Manager）アプリケーションの他、電話や電子メール、パソコン通信等の通信アプリケーションが挙げられる。
【０００３】
このように携帯情報端末の機能が多くなるにつれて、各アプリケーションが保有、及び管理する情報の種類，量共に増大しており、使用者が所望とする特定のデータを迅速に検索することが困難な場合も生じてくる。このような場合には、各アプリケーションで管理するデータの性質に合わせて、データを並べ替えた上に、特定の区分に分けてインデックスを設けたりすることでデータの検索性を向上させている。例えば、住所録管理アプリケーションであれば、登録データを個人名の読み順に並べ替えた上に、これに読み区分のインデックスを設けたり、スケジュール管理アプリケーションであれば、スケジュールデータを日付や時刻順に並べ替えた上に、日付区分のインデックスを設けたりしてデータ検索性の向上を図っている。
【０００４】
ところで、携帯情報端末装置の機能の１つである通信アプリケーションが管理、及び利用するデータには、電話の着信履歴データのように時間属性をもっているデータや、電話発信時の電話番号のように特定の個人の情報に関するデータがあるが、これらのデータは同じ携帯情報端末装置上の個人情報管理アプリケーションとは別に、管理，利用，表示されるだけであった。例えば、スケジュール管理アプリケーションで、ある特定の時間帯に、同じ携帯情報端末装置上にある電話アプリケーションの着信呼び出し音を鳴らしたくないようなスケジュールの予定データが入力されていた場合でも、実際に電話アプリケーションの着信呼び出し音鳴動動作を禁止するためには、電話アプリケーションの呼び出し音制御を、呼び出し音鳴動を行わないようにスケジュールデータ入力とは別にこれを設定する必要があった。
【発明の開示】
【発明が解決しようとする課題】
【０００５】
従来の携帯情報端末装置は以上のように構成されており、目的とする機能を実行するアプリケーション以外のアプリケーションで参照されるデータは、単に画面において表示されるのみであり、このデータを用いて、該データと関連のあるアプリケーションの動作を変更，設定するということはできず、各アプリケーション相互間の機能的な関連（連動）性が低いという問題点があった。
【０００６】
この発明は以上のような問題点を解消するためになされたもので、特定の機能を実行することを主とするアプリケーションを実行している際においても、そこで参照しているデータと関連する他のアプリケーションの動作を変更，設定して使用することのできる携帯情報端末装置を得ることを目的とする。
【課題を解決するための手段】
【０００７】
上記課題を解決するために、本発明の請求項１にかかる携帯情報端末装置は、未処理事項管理アプリケーションに未処理事項管理データを入力するデータ入力手段と、上記入力された未処理事項管理データを表示するためのデータ表示手段と、上記入力した未処理事項管理データを記憶するデータ記憶手段と、外部の機器と通信を行うための通信手段とを備えた携帯情報端末装置において、上記通信手段を制御して外部の機器と通信を行うための通信アプリケーションと、上記通信手段による発信操作の履歴情報を記憶する発信履歴情報記憶手段と、上記通信手段による発信操作の結果、外部の機器との通信が確立しなかった場合に、該発信操作の発信履歴情報を上記未処理事項管理アプリケーションに登録する発信履歴情報登録手段とを備えたものである。
【０００８】
また、本発明の請求項２にかかる携帯端末情報装置は、請求項１に記載の携帯情報端末装置において、前記未処理事項管理アプリケーションはToDoアプリケーションであり、前記通信アプリケーションは電話アプリケーションであることを特徴とするものである。
【０００９】
また、本発明の請求項３にかかる携帯情報端末装置は、請求項１に記載の携帯情報端末装置において、前記発信履歴情報は、電話発信した日付、時刻、ToDo概要、電話発信先相手電話番号であることを特徴とするものである。
【発明の効果】
【００１０】
以上のように、本発明にかかる携帯情報端末装置によれば、電話または電子メールの発信履歴情報を記憶するための発信履歴情報記憶手段により、電話発信操作後の通話不成立時の通話不成立記録や、電子メール送信失敗時の送信失敗記録を、電話通話不成立時やメール送信失敗時の次回電話通話、または次回メール送信を促すためのToDoデータとして新規登録させ、ToDo表示画面上で表示するようにしたので、使用者に対して電話通話不成立またはメール送信失敗となった通信操作の再試を促すようになり、通信操作の再試の行い忘れを防止することができるという効果がある。
【発明を実施するための最良の形態】
【００１１】
実施の形態１
図１は本発明の実施の形態１による携帯情報端末装置のブロック図である。図１において、３は、入力ペンとペンタブレット或いはキーボード，マウスなどの入力装置１と、この入力装置１で発生した信号を管理する入力制御部２とからなる入力手段、６は、信号バス１１から受信した表示情報をＬＣＤやＣＲＴ等の表示装置４に表示するための信号に変換する表示制御部５からなる表示手段、９は、信号バス１１から受信した通信情報を、モデムやＰＨＳモジュールや、携帯電話モジュール等の通信装置７を用いて通信を行うための信号に変換する通信制御部８からなる通信手段、２０は、電話アプリケーションの情報を記憶するための電話データベース１５とメールアプリケーションの情報を記憶するためのメールデータベース１６とアドレス帳アプリケーションの情報を記憶するためのアドレス帳データベース１７とスケジュールアプリケーションを記憶するためのスケジュールデータベース１８と世界時計アプリケーションの情報を記憶するための世界時計データベース１９と、上記各アプリケーションデータベースを制御するためのデータベース制御部１４とからなる記憶手段、１２は、任意のアプリケーションが該任意のアプリケーションデータベース以外のアプリケーションデータベースに記憶されているデータを参照するための手段を提供するデータ参照手段、１３は任意のアプリケーションが該任意のアプリケーションが扱うデータを該任意のアプリケーション以外のアプリケーションデータベースに記憶させたり、任意のアプリケーションが該任意のアプリケーション以外が扱うデータを該任意のアプリケーションのデータベースに記憶したりする際のデータ変換手段を提供するデータ変換手段、２３は、時計装置２２と日時取得部２１とからなる日時取得手段、１０は上記入力手段３，表示手段６，通信手段９，記憶手段２０，データ参照手段１２，データ変換手段１３を、信号バス１１を介して制御する全体制御部である。
【００１２】
また、図２は、本携帯情報端末装置の表示装置４と入力装置１の模式図であり、図２において、３０はペンタブレットを用いた入力装置有効領域であり、入力ペンによって直接ペンタップすることで入力操作が行われる。３２は本携帯端末装置で使用者が使用できるアプリケーションを選択するためのアプリケーション選択ボタンであり、３３は電話アプリケーションに関連する操作、及び電源のオン／オフを行うための電話操作／電源操作ボタンである。３１は表示装置有効領域であり、上記入力装置有効領域３０と重なるように配置されている。
【００１３】
さらに、図３は、スケジュールアプリケーション選択中に、表示装置有効領域３１に表示される週単位のスケジュール表示画面の一例を示す模式図であり、図３において、スケジュールデータ週単位表示画面は、日付（曜日）毎に各スケジュールデータの情報として、時間，スケジュール概要，電話着信制御設定の状態を、日付（曜日）毎に、電話の発信件数，着信件数，メールの発信件数，着信件数という通信記録４１を、スケジュールデータ表示領域４０に表示している。
【００１４】
また、スケジュールデータ表示領域４０内の各スケジュールデータの情報として表示される電話着信制御設定の状態を示す表示領域は、電話着信制御設定を行うための電話着信制御設定ボタン４６の機能も兼ねている。また、スケジュールデータ表示領域４０の右側には、週単位スケジュール表示モードでのスケジュールデータ表示月変更タブ４３、及びスケジュールデータ表示週変更タブ４４が配置されており、スケジュールデータ表示領域４０の下側には、スケジュールデータ表示モードの「４ヶ月単位表示モード」，「１ヶ月単位表示モード」，「週単位一覧表形式表示モード」，「週単位グラフ形式表示モード」，「１日単位表示モード」，「当日のスケジュールデータ表示モード」とするための各スケジュールデータ表示モード変更ボタン４２が配置されている。
【００１５】
さらに、また、図４は、電話アプリケーション選択中に、表示装置有効領域３１に表示される、スケジュールでの電話着信制御設定による電話着信規制中の電話アプリケーション表示画面の一例を示す模式図であり、図４において、電話着信規制中画面には、電話情報表示領域５３に着信規制中情報５４を表示している。
【００１６】
また、電話情報表示領域５３の下部左側には、電話番号入力ボタン５０を配置し、電話情報表示領域５３の下部右側には、機能呼び出しボタン５２を配置し、機能呼び出しボタン５２の下部には、電話番号クリアボタン５１を配置している。
【００１７】
図５は、アドレス帳アプリケーション選択中に、表示装置有効領域に表示される５０音単位のアドレス帳表示画面の一例を示す模式図であり、図５において、アドレス帳５０音一覧表示画面には、アドレス帳データ表示領域６０に、各個人の情報として氏名，電話番号，電話着信制御設定の状態が表示されている。また、アドレス帳データ表示領域６０の右側には、各個人の情報を氏名の読みで５０音に分類するための５０音分類タグボタン６２が配置されており、現在表示されている個人の情報（特許あ郎、特許い郎等）に対して設定された読み区分［た］を示す５０音分類タグボタン６２は、表示画面上において、もっとも手前側に位置するように見えるように表示されている。
【００１８】
また、上記電話着信制御設定の状態の表示領域は、電話着信制御設定を行うための電話着信制御設定ボタン６３も兼ねており、上記氏名が表示されている領域は個人の詳細情報表示モードへ移行するための詳細表示モード呼び出しボタン６４も兼ねており、上記電話番号が表示されている領域は表示された電話番号に対して電話帳アプリケーションで電話するための電話機能呼び出しボタン６５も兼ねている。また、アドレス帳データ表示領域６０の下側には、５０音単位アドレス帳表示モードでの、アドレス帳データ表示モードを、「５０音単位表示モード」，「電話着信回数単位表示モード」，「電話発信回数単位表示モード」，「メール着信回数単位表示モード」，「メール発信回数単位表示モード」のそれぞれに切り替えるためのアドレス帳データ表示モード変更ボタン６１が配置されている。
【００１９】
次に上記図１ないし図５を用いて本発明の携帯情報端末装置の動作について説明を行う。なお、本実施の形態１による携帯情報端末装置では、基本操作は全て図１の各ブロックにより遂行されるので、まず基本操作による動作を説明する。 
【００２０】
表示制御部５は選択されたアプリケーション、及び操作モードに応じて、記憶手段２０から画面情報を取得し、これを表示装置４に表示すべき所定の画面を構成する表示信号として出力し、表示装置４は受信した表示信号に従い表示を行う。この表示画面は、使用者へ提供すべき情報を表示するとともに、該表示画面には、該表示画面から使用者が当該アプリケーションの操作のための入力を行えるよう、各操作に対してのタグ，ボタン，マス目等の形で入力領域が設定されている。
【００２１】
次に、使用者が、ある操作を行うために、表示装置４上に表示された入力領域に対して入力装置１を用いて入力操作を行うと、入力制御部２は記憶手段２０から入力領域情報を取得し、該入力操作によって入力手段１から発生した入力信号と照合してこれに対応する操作イベントを発生させ、信号バス１１を通じて全体制御部１０へ操作イベントを送信する。そして該操作イベントを受信した全体制御部１０は、記憶手段２０から現在のアプリケーション、及び操作モードに応じた操作イベント情報を取得し、該操作イベントと現在の使用中のアプリケーション、および操作状態との照合を行い、画面構成に関する操作イベントであれば画面構成イベントを生成して信号バス１１を通じて表示制御部５へ前記画面構成イベントを送信し、或いは、上記照合結果が通信操作に関する操作イベントであれば、通信イベントを生成して信号バス１１を通じて通信制御部８へ送信する。
【００２２】
以上のようにして、表示制御部５が画面構成イベントを受信した場合、選択されたアプリケーション、及び操作モードに応じて、記憶手段２０から画面情報を取得して表示装置４に表示すべき所定の画面を構成する表示信号として出力し、表示装置４は受信した表示信号に従った表示を行う。以後の動作は、既に述べたものと同様である。
【００２３】
一方、通信イベントを受信した通信制御部８は、選択されたアプリケーション、及び操作モードに応じて、記憶手段２０から通信情報を取得して通信すべき所定の通信情報フォーマットを構成し、通信装置７と通信信号の送受信を行い、通信装置７は他通信端末２４と通信処理を実行する。また、通信装置７が他通信端末２４から通信動作を受けた場合、通信装置７は通信信号を通信制御部８に送信し、通信制御部８は選択されたアプリケーション、及び操作モードに応じて、記憶手段２０から通信情報を取得して通信すべき所定の通信情報フォーマットを構成し、通信装置７と通信信号の送受信を行い、通信装置７は他通信端末２４と通信処理を実行する。
【００２４】
次に、スケジュール週単位一覧表表示モードにおける電話着信制御設定操作について説明する。図３に示すスケジュールデータ週単位表示画面に表示されるスケジュールデータの各情報は、別途準備されたスケジュールデータ登録画面を用いて一括的に登録されており、使用者は、例えば、図３に示すスケジュール画面を開いたときに、表示日時のスケジュール時刻やスケジュール概要も従来と同様に参照できるが、これらのスケジュールデータの該当する時間帯に電話着信による呼び出し音を鳴らしたくない場合、従来のように別途用意される電話着信音設定画面にて電話着信音を鳴らさないように設定することも可能であるが、本実施の形態１では、図３に示す各スケジュールデータと対をなして配置される電話着信制御設定ボタン４６を使用することで、該電話着信制御設定ボタン４６と対をなすスケジュールデータの該当する時間帯には、電話着信音を鳴らさないように設定することができる。また、電話着信制御設定ボタン４６は、現在の電話着信制御設定を反映した表示を行っており、電話着信音鳴動を許可している場合には［○］で表示され、電話着信音鳴動を禁止している場合には［×］で表示されている。
【００２５】
使用者が、入力装置１を用いて設定操作を電話着信制御設定ボタン４６に対して行った場合、入力制御部２は記憶手段２０から入力領域情報を取得し、これを該設定操作によって入力装置１から発生した入力信号と照合して、操作イベントを発生させ、信号バス１１を通じて全体制御部１０へ操作イベントを送信する。
【００２６】
該操作イベントを受信した全体制御部１０は、記憶手段２０からスケジュールアプリケーションの現在の操作モードに応じた操作イベント情報を取得し、該操作イベントと照合し、スケジュールデータベース１８に既に登録済みの該電話着信制御設定操作の行われた電話着信制御設定ボタン４６と対をなして表示されるスケジュールデータに関する電話着信制御設定データとしてスケジュールデータベース１８に登録するためのデータベース登録イベントを生成し、信号バス１１を通じてデータベース制御部２０に送信する。
【００２７】
データベース登録イベントを受信したデータベース制御部２０は、スケジュールデータベース１８に該スケジュールデータに関する電話着信制御設定データを登録する。また、全体制御部１０はデータベース登録イベントを生成、送信すると同時に、電話着信制御設定ボタン４６の表示状態を変更するために画面構成イベントを生成し、表示制御部５に送信し、電話着信制御設定ボタン４６の表示が変更される。
【００２８】
スケジュール設定で、電話着信規制（電話着信音鳴動の禁止）が設定されている時間帯に電話アプリケーションが起動中であれば、図４に示された着信規制中情報表示５４が画面上の情報表示領域５３に表示され、使用者にスケジュール設定によって電話着信規制中であることが示される。また、電話着信があった場合にも、電話着信音鳴動は行われない。すなわち、使用者が、電話アプリケーションを開く操作を図２に示されるアプリケーション選択ボタン３２で行った場合、電話アプリケーションモードにおいて、基本操作による表示動作が行われるとともに、全体制御部１０は、日時取得手段２３より現在日時を取得し、データ参照手段１２を介して記憶手段２０から現在日時に該当するスケジュールデータを取得し、電話着信規制が設定されているかどうかを判定し、ここで、電話着信規制が設定されていた場合には、着信規制中情報表示５４を表示するための画面構成イベントを生成し、これを表示制御部５に送信することにより、着信規制中情報表示５４が表示される。このようにすることで、例えば、スケジュールアプリケーションを起動することなく、電話アプリケーションを起動した時点で、当該時間帯が電話着信規制が設定されている時間帯であるということを使用者に通知することができる。
【００２９】
そして、電話着信があった場合には、全体制御部１０は、日時取得手段２３より現在日時を取得し、スケジュールアプリケーション以外が選択されている場合には、データ参照手段１２を介して、記憶手段２０から現在日時に該当するスケジュールデータを取得し、電話着信規制が設定されているかどうかを判定し、電話着信規制が設定されていた場合には、電話着信音鳴動は行わない。
【００３０】
以上のように、本実施の形態１によれば、スケジュール週単位表示画面の各スケジュールデータ表示と対をなすよう表示された電話着信制御設定ボタン４６を操作することにより、該各スケジュールデータと関連させて電話着信の規制を行うようにしたので、スケジュールに合わせて事前に電話着信規制を設定予約することができ、従来のように別途用意される電話着信制御設定画面だけで電話着信制御設定を行う場合に比べて、操作性を向上でき、その結果、重要会議中等で絶対に着信音を鳴らしたくない場合などにも確実に着信音を停止できるという効果がある。
【００３１】
また、本実施の形態１においては、スケジュール週単位表示画面の各スケジュールデータ表示と対をなすよう表示された電話着信制御設定ボタン４６を操作することにより、該各スケジュールデータの該当する時間帯に上記操作により設定された電話着信規制動作を行うようにしたので、従来のように、別途用意される電話着信制御設定画面だけで電話着信制御設定を行う場合に比べて、使用者はスケジュール毎に通信規制動作を指定することができ、操作性が向上するという効果がある。
【００３２】
なお、本実施の形態１では、電話着信制御設定ボタン４６による電話着信音制御としたが、電話発信や電子メール発着信予約、FAX 、パソコン通信ソフト、インターネットＷＷＷブラウザの起動または終了時刻の予約を設定するための制御設定ボタンを配置してもよい。その場合、電話のかけ忘れ防止や電子メールの送信忘れ防止等の操作性の向上の効果や、特定時間帯通信料金割引サービス等を容易に利用できるため、電話の切り忘れや通信回線切断忘れの防止等による電話・通信料金節約の効果がある。
【００３３】
また、本実施の形態１では、図３に示すスケジュール画面上で、電話着信制御設定ボタン４６を関連するスケジュールデータの時間帯，概要と対をなすように配置したが、電話着信制御設定ボタン４６をスケジュールデータの時間帯や、概要等の表示領域と重なるように配置し、スケジュールデータの時間帯，概要等の表示領域に対し操作を行うことで、電話着信制御設定が行われるようにしてもよい。その場合、電話着信制御設定操作は更に直感的に行うことが可能となり、操作性が向上する。
【００３４】
また、本実施の形態１では、図３に示すスケジュール画面上で、電話着信制御設定ボタン４６を、関連するスケジュールデータの時間帯や概要と対をなすように配置したが、図５に示すアドレス帳画面の電話着信制御設定ボタン６３のように、アドレス帳画面上の各個人の情報の氏名や電話番号に関連して配置してもよく、その場合、全体制御部１０は、スケジュール設定の電話着信規制の場合の現在日時と該当スケジュールデータの代わりに、通信手段９から取得される着信電話の発番号情報と、データ参照手段１２を介して取得できるアドレス帳データベース１７に登録されたアドレス帳データとに基づいて、着信制御を行うようになる。また、電話着信制御設定ボタン４６を、２つ以上の電話番号情報が登録されたアドレス帳の各個人や各団体の名前等に関連付ける場合、２つ以上の発番号情報を持つ電話着信に対して、１つの電話着信制御設定操作で電話着信制御設定が可能である。その場合、特定の人物等のみから、電話着信を受けることができるので、いたずら電話の防止等ができ、簡単に複数の発番号を持つ電話着信に対して着信制御設定ができる。
【００３５】
また、本実施の形態１では、電話着信制御を呼び出し音鳴動の禁止としたが、ＰＨＳ等の通信モジュール部の電源を切るとしてもよい。その場合、携帯端末装装置の電力消費量の節約ができる。
【００３６】
さらに、本実施の形態１では、電話着信制御を呼び出し音鳴動の禁止としたが、呼び出し音鳴動の禁止の代わりに、呼び出し音鳴動をバイブレーター振動に動作内容変更したり、呼び出し音鳴動を着信メッセージ表示動作のみに動作内容変更するものとしてもよい。
【００３７】
実施の形態２
図６は本発明の実施の形態２による携帯端末装置のアドレス帳アプリケーション選択中に、表示装置有効領域３１に表示される電話発信回数単位のアドレス帳表示画面の一例を示す模式図であり、図６において、アドレス帳電話発信回数表示画面では、アドレス帳データ表示領域６０に、各個人の情報として氏名，電話番号，上記個人からの電話着信制御設定の状態が表示されているとともに、これに隣接してアドレス帳電話発信回数表示項目１０４に、上記個人に対しての電話発信回数が表示されている。また、電話発信回数単位表示モードでのアドレス帳表示画面では、アドレス帳データ表示領域６０に表示される各個人の情報の配置は、縦軸上にみて、上部に表示されるものほど電話発信回数が多いものとなっている。
【００３８】
図８は電話アプリケーション起動中に、使用者が電話発信を行った時点で相手先が話し中等の理由により通話不成立となった場合に、この通信結果を通話不成立情報ToDoデータとして登録する処理を行う時の電話アプリケーション表示画面の一例を示す模式図であり、図８において、通話不成立時の電話画面は、電話情報表示領域５３に電話発信先相手氏名，相手電話番号，ToDoデータ登録情報表示８５が表示されている。
【００３９】
図９はToDoアプリケーション起動中に、表示装置有効領域３１に表示されるToDo一覧表示モードで、未処理ToDoを表示中の画面の一例を示す模式図であり、図９において、ToDo一覧表示モード画面では、各未処理ToDoデータの情報として、年月日，ToDo概要を、ToDoデータ表示領域９０に時系列的に表示している。また、ToDoデータ表示領域９０内の各ToDoデータの情報表示領域左側には、該各ToDoデータを処理済みデータとして属性変更するためのToDoデータ処理／未処理変更ボタン９３が配置されている。さらに、図９において、表示中の未処理ToDoデータのうち、９４は電話通話不成立ToDoデータを示し、該電話通話不成立ToDoデータ情報として、電話発信不成立ToDoデータであることを示す［電話発信！］という文字列，電話発信相手先電話番号，発信時刻が同時に表示されている。また、上記電話発信相手先電話番号表示は、表示された電話番号に対して電話帳アプリケーションで電話するための電話機能呼び出しボタンも兼ねている。また、ToDoデータ表示領域９０の右側には、未処理ToDoデータと処理済みToDoデータ表示を切り替えるための未処理ToDoデータ／処理済みToDoデータ表示選択タグボタン９２が配置されており、ToDoデータ表示領域９０の下側には、ToDoデータの表示モードである「一覧表示」モード，「詳細表示」モードへの、ToDoデータ表示モード切替ボタン９１が配置されている。
【００４０】
次に図１，２，５，６，８，９に従い、本実施の形態２による携帯情報端末装置の動作について説明する。本実施の形態２による携帯情報端末では、基本操作は全て図１の各ブロック図により遂行されるので、まず基本操作による動作を説明する。
【００４１】
通信イベントを受信した通信制御部８は、選択されたアプリケーション、及び操作モードに応じて、記憶手段２０から通信情報を取得し、通信すべき所定の通信情報フォーマットを構成して通信装置７と通信信号を送受信し、通信装置７は他通信端末２４と通信処理を実行する。また、通信装置７が他通信端末２４から通信動作を受けた場合、通信装置７は、通信信号を通信制御部８に送信し、通信制御部８は選択されたアプリケーション及び操作モードに応じて、記憶手段２０から通信情報を取得して、通信すべき所定の通信情報フォーマットを構成し、通信装置７と通信信号を送受信し、通信装置７は他通信端末２４と通信処理を実行する。
【００４２】
次に、電話発信操作を行った後に、電話発信記録がアドレス帳に登録され、アドレス帳画面でアドレス帳登録済みの各個人についての電話発信回数を参照する操作について説明する。
【００４３】
使用者は、別途準備された電話発信画面（図示せず）を用いて電話発信を行った場合、通信制御部８は発信電話番号情報を全体制御部１０に送信し、全体制御部１０は、記憶手段２０の電話データベース１５に発信電話番号情報を電話発信記録として登録するとともに、データ参照手段１２を介してアドレス帳データベース１５に登録済みのアドレス帳データ内の電話番号情報を取得し、該発信電話番号情報と合致するアドレス帳データ内の電話番号情報が存在した場合、その電話番号が属するアドレス帳データの各個人情報に属する電話発信回数カウンタ情報をデータ参照手段１２を介して取得し、該取得した電話発信回数カウンタ情報に１を加え、データ変換手段１３を介してデータ記憶手段２０のアドレス帳データベース１７に記憶させる。
【００４４】
そして後に、使用者がアドレス帳アプリケーションの起動操作を行った場合、基本操作による動作により、図５のアドレス帳５０音一覧表示画面が表示され、アドレス帳表示モード変更ボタン６１にてアドレス帳電話発信回数表示モードを選択した場合、図６のアドレス帳電話発信回数表示画面が表示される。使用者は別途用意される電話アプリケーションの発信回数表示画面によって、各電話番号情報についての電話発信回数を参照することも従来通り可能であるが、図６のアドレス帳電話発信回数表示画面で、各個人の情報として表示される、氏名，電話番号，電話着信制御設定と共に、上記電話アプリケーションによって変更・記憶された電話発信回数情報を参照することができる。
【００４５】
図６のアドレス帳電話発信回数表示画面は、一覧性を重要視した画面構成であり、アドレス帳データ表示領域６０には、各個人の情報として氏名，電話番号，電話着信制御設定，上記電話アプリケーションによって変更・記憶された電話発信回数情報のみが表示されているが、他の複数の電話番号情報や住所や、メールアドレス等の情報も登録されており、氏名情報表示を兼ねる名前情報データ兼詳細情報表示ボタン６４を操作することにより、簡単に上記他の複数の電話番号情報や住所，メールアドレス等も表示することができ、上記電話発信回数は、これら各個人に属する情報として登録されている電話番号で発信された合計の発信回数を示すものとなっている。
【００４６】
使用者は、例えば、横方向に見て各個人の情報として氏名，電話番号も従来と同様に参照できるが、各個人に対する電話発信回数も各個人の氏名，電話番号と共に参照することができ、上記名前情報データ兼詳細情報表示ボタン６４の簡単な操作により、その他各個人の登録されている情報すべてと共に参照することができる。また、アドレス帳電話発信回数表示画面では、電話発信回数の多い個人についての情報ほど、画面の上位に表示されるように構成されているので、使用者が、アドレス帳電話発信回数表示画面において、多数のアドレス帳個人データの中から、よく電話発信するアドレス帳個人データを簡単に表示させることができる。また、電話機能呼び出しボタンを兼ねた電話番号表示である、電話番号情報兼電話機能呼び出しボタン６５も、アドレス帳個人データの氏名，電話発信回数表示等と対をなすように配置されているので、使用者は、よく電話発信する電話番号という観点で、所望のアドレス帳個人データを表示させた後に、そのまま、簡単に電話帳機能の呼び出しを行うことも可能となる。
【００４７】
以上のように、本実施の形態２においては、電話アプリケーションで発信された電話番号情報をもとに、アドレス帳データベース１７の電話発信回数を更新するようにすることにより、別途用意されている電話アプリケーションの電話発信回数表示画面で電話発信回数を参照する場合に比べて、発信電話番号に関連する各個人情報と共に上記電話発信回数を参照できるようになり、発信電話番号に関連する個人情報を参照する際の操作性が向上するという効果がある。
【００４８】
また、本実施の形態２においては、電話アプリケーションで発信された電話番号情報をもとにアドレス帳データベース１７の電話発信回数を更新するようにする場合に、アドレス帳データベース１７の各個人情報に属する全ての電話番号情報についての電話発信回数の合計として、これを図６のアドレス帳電話発信回数表示画面に表示するようにすることにより、２つ以上の電話番号の登録されたアドレス帳個人データをも各個人データ単位での電話発信回数の観点から、アドレス帳画面上に表示することができる。従って、使用者は、別途用意される電話アプリケーション電話発信回数表示画面で電話番号単位で電話発信回数表示を行う場合に比べて、複数の電話番号を意識することなく、この表示を行うことができ、操作性が向上するという効果がある。
【００４９】
また、本実施の形態２においては、電話アプリケーションで発信された電話番号情報をもとにアドレス帳データベース１７の電話発信回数を更新し、図６のアドレス帳電話発信回数表示画面で、各個人情報の電話発信回数に応じて個人データの表示順（表示フォーマット）を変更してこれを表示するようにしたので、よく発信する各個人に関するデータが常に画面上部に表示され、５０音分類画面等の従来の表示画面でよく電話発信する各個人データを検索するよりも、簡単によく電話発信する各個人データを検索することができ、操作性が向上するという効果がある。
【００５０】
また、本実施の形態２においては、電話アプリケーションで発信された電話番号情報をもとにアドレス帳データベース１７の電話発信回数を更新し、図６のアドレス帳電話発信回数表示画面上に電話番号情報兼電話機能呼び出しボタン６５を配置し、よく電話発信する個人に関する電話番号情報兼電話機能呼び出しボタン６５を操作するようにするだけで、簡単に電話をかけることができ、アドレス帳画面で個人氏名，電話番号を確認した後、電話アプリケーションに切り替えて電話発信を行う場合に比べて、画面を切り替える必要がなく、よく発信する電話番号により直感的に簡単に電話発信することができ、操作性が向上するという効果がある。
【００５１】
なお、本実施の形態２では、発信電話番号情報をもとにアドレス帳データベース１７のデータを変換・記憶したが、これを発信電話番号情報をもとに行う代わりに、着信電話番号情報や発着信電子メールアドレス情報，送受信FAX 番号情報等をもとに、これを行うようにしてもよい。
【００５２】
また、本実施の形態２では、発信電話情報をもとにアドレス帳データベース１７のデータを変換・記憶するようにしたが、これはアドレス帳データベース１７に代えてスケジュールデータベース１８のデータを変換・記憶するようにしてもよい。発信電話番号情報は、新規スケジュールデータとしてスケジュールデータベース１８に電話発信記録として新規登録させてもよいし、既に登録されているスケジュールデータと関連させて電話発信記録として登録してもよい。この場合、電話発信記録スケジュールデータは他のスケジュールデータとの同時表示が可能になるので、使用者が電話発信記録をスケジュールデータ（記録）と対比させて参照したい場合、電話アプリケーション電話発信記録画面とスケジュール画面の別々の画面で電話発信記録とスケジュールデータ（記録）とを参照する場合に比べて、画面を切り替えて参照する必要がなく、操作性が向上するという効果がある。
【００５３】
また、本実施の形態２では、発信電話番号情報をもとにアドレス帳データベース１７のデータを変換・記憶したが、図８の通話不成立時の電話画面で表示される電話発信時に、通話相手先話し中等の理由で通話不成立の場合の通話不成立記録をもとに、ToDoデータベースに通話不成立時の次回通話を促すためのToDoデータとして新規登録させ、図９のToDo一覧表示モード画面のToDoデータ表示領域９０に表示される電話通話不成立ToDoデータ９４の１レコードとし、電話通話不成立ToDoデータ９４表示中に電話通話不成立電話番号表示と、電話機能の呼び出しとを兼ねる電話番号情報表示兼電話機能呼び出しボタン９５を配置するようにしてもよい。このようにすることで、通話不成立時に、ToDo画面に切り替えてToDo登録操作を行う処理を行う従来の方式に比べ、ToDoデータ登録操作のための画面切替え操作が不要となるので、簡単に通話不成立となった電話発信のかけ直し忘れの防止のためのToDoデータの登録ができ、通話不成立となった電話発信のかけ直しを直感的に行うことができるので、操作性が向上するという効果がある。
【００５４】
実施の形態３
図７は本実施の形態３による携帯情報端末装置の電話アプリケーション起動中の画面を示す図であり、表示装置有効領域３１には使用者が電話発信を行おうとした時点での現在位置と時差がある地域に対して電話番号を設定した場合の電話番号設定（入力）中の電話アプリケーション表示画面の一例を示す模式図であり、図７において、対有時差地域への電話発信画面には、その電話情報表示領域５３に、電話発信先相手氏名，相手電話番号とともに、発信先時差情報表示８０を表示している。
【００５５】
次に先に用いた図６、及び図７に従い本実施の形態３による携帯情報端末の動作について説明する。
通信イベントを受信した通信制御部８は、選択されたアプリケーション、及び操作モードに応じて、記憶手段２０から通信情報を取得し、通信すべき所定の通信情報フォーマットを構成して通信装置７と通信信号を送受信し、通信装置７は他通信端末２４と通信処理を実行する。また、通信装置７が他通信端末２４から通信動作を受けた場合、通信装置７は通信信号を通信制御部８に送信し、通信制御部８は選択されたアプリケーション及び操作モードに応じて、記憶手段２０から通信情報を取得し、通信すべき所定の通信情報フォーマットを構成して通信装置７と通信信号を送受信し、通信装置７は他通信端末２４と通信処理を実行する。
【００５６】
次に、使用者がアドレス帳モードにおいて電話機能呼び出しボタンを操作し、呼び出された電話アプリケーション電話発信モードにおいて、使用者の位置する地域と時差の存在する地域への電話発信を行う場合の操作について説明する。使用者は、例えば、図６に示すアドレス帳電話発信回数表示画面において、アドレス帳データ表示領域６０に表示される各個人に関するアドレス帳情報の表示領域に配置される，各個人に関する電話番号情報表示を兼ねる電話機能呼び出しボタンである電話番号情報表示兼電話機能呼び出しボタン６５を操作する。例えば、「特許八郎  777-888-3456  ○  93」というように、氏名，電話番号，電話着信制御状態，電話発信回数が表示されている領域に配置されている電話番号情報表示兼電話機能呼び出しボタン６５を操作（選択実行）した場合、全体制御部１０は入力手段３から操作イベントを受信し、アドレス帳アプリケーションの現在の操作モード（電話発信回数表示モード）に応じた操作イベント情報を、記憶手段２０のアドレス帳データベース１７から取得し、該操作イベントと照合し、全体制御部１０は上記電話番号情報兼電話機能呼び出しボタン６５操作に関連する、個人に関する氏名，電話発信に用いる電話番号，住所の各情報を記憶手段２０のアドレス帳データベース１７から取得し、データ変換手段１３を介して電話アプリケーション起動時の画面構成情報の一部として、上記氏名，電話番号情報を電話データベース１５に記憶させ、また、上記住所情報と、データ参照手段１２を介して世界時計データベース１９から取得した住所（都市・地域）情報とを照らし合わせ、両情報が合致したところの世界時計データベース１９内の住所情報に関する基準地（使用者が電話をかけようとしている地域）との時差情報を取得し、日時取得手段２３から取得した現在時刻情報と上記時差情報とから発信相手先の現在時刻とを計算し、データ変換手段１３を介して電話アプリケーション起動時の画面構成情報の一部として、上記時差情報と発信相手先の現在時刻とを、電話データベース１５に記憶させる。
【００５７】
次に、全体制御部１０は操作モード状態をアドレス帳アプリケーションから電話アプリケーションへ変更し、電話アプリケーションモード用の画面構成イベントを生成し、信号バス１１を通じて表示制御部５へ画面構成イベントを送信し、画面構成イベントを受信した表示制御部５は、記憶手段２０の電話データベース１５から画面構成情報を取得し、表示装置４に表示すべき所定の電話アプリケーション画面を構成し、これを表示信号として出力する。表示装置４は受信した表示信号を表示し、電話アプリケーション画面が表示装置４上に表示される。このとき、使用者は、図７の対有時差地域への電話発信画面では、発信相手の氏名情報や発信先電話番号も従来と同様に参照することができるが、上記時差情報、及び電話発信相手先の現在時刻を用いて、電話発信相手先の昼／夜といった生活時間帯に関する情報とともに、電話情報表示領域５３に発信先時差情報表示８０を表示するようになる。
【００５８】
以上のように本実施の形態３においては、使用者はアドレス帳画面で表示される電話機能呼び出しボタンで電話発信した場合に、データ参照手段１２とデータ変換手段１３とを用いて、アドレス帳データベース１７の住所情報と世界時計データベース１９の地域、および時差情報から算出した発信相手先の現在時刻に関する情報を電話データベース１５に記憶させ、電話画面上で表示するようにしたので、携帯情報端末装置の使用者は、電話発信を行う事前に、発信相手先の現在時刻に関する情報を参照することができ、従来のように、発信相手先の氏名，発信先番号のみが画面上に表示される場合に比べて、深夜時間帯の迷惑電話の防止や、発信相手先に合わせた挨拶等の応答が容易に可能となり、電話発信相手先の立場に立った電話発信を行う際の操作性が向上するという効果がある。
【００５９】
なお、本実施の形態３では、アドレス帳データベース１７の住所情報と、世界時計データベース１９の地域、および時差情報とから算出した発信相手先の現在時刻に関する情報を、電話データベース１５に記憶させるようにしたが、アドレス帳データベース１７の発信に用いる電話番号情報と、電話データベース１５の国際電話番号，市外局番情報と、世界時計データベース１９の地域、および時差情報から算出した発信相手先の現在時刻に関する情報を、電話データベース１５に記憶させるようにしてもよい。
【００６０】
また、本実施の形態３では、使用者が有時差地域に対して電話発信を行う場合に、電話画面に電話発信相手先の現在時刻に関する情報を表示するようにしたが、FAX 送信や電子メール送信等を行う場合においても、発信相手先の現在時刻に関する情報を表示するようにしてもよいし、FAX 送信内容や電子メール送信内容の一部に、発信相手先の現在時刻情報を、使用者が送信内容として設定したデータにこれを付加して送信を行うような構成としてもよい。このようにすることで、相手先は、FAX やメールの内容を見るだけで、自分がいる地域において何時FAX やメールを受け取ったのかが容易に分かるようになり、FAX やメールのヘッダ等が添付されていないような場合であっても、受信時刻を容易に知ることができるようになる。
【００６１】
また、本実施の形態３では、使用者が有時差地域にいる相手に対して電話発信を行う場合に、電話画面に電話発信相手先の現在時刻に関する情報を表示するようにしたが、有季節差地域にいる相手に対して電話発信を行う場合に、電話画面に電話発信相手先の現在の季節に関する情報を表示する構成としてもよいし、FAX 送信や電子メール送信等を行う場合に、発信相手先の現在の季節に関する情報を表示するとしてもよいし、さらに、FAX 送信内容や電子メール送信内容の一部に発信相手先の現在季節に関する情報（時候の挨拶等）を、使用者が送信内容として設定したデータにこれを付加して送信を行うような構成としてもよい。
【産業上の利用可能性】
【００６２】
本発明にかかる携帯情報端末装置は、アプリケーション間の連帯性を高め、特に、通話不成立時における操作性を向上させることのできる携帯情報端末装置として有用である。
【図面の簡単な説明】
【００６３】
【図１】本発明の実施の形態１，２，３による携帯情報端末装置の構成を示すブロック図である。
【図２】上記各実施の形態の携帯情報端末装置で用いられる表示装置と入力装置の模式図である。
【図３】上記携帯情報端末装置のスケジュールデータ週単位表示画面の模式図である。
【図４】上記携帯情報端末装置の電話着信規制中の画面の模式図である。
【図５】本発明の実施の形態２による携帯情報端末装置のアドレス帳５０音一覧表示画面の模式図である。
【図６】上記携帯情報端末装置のアドレス帳電話発信回数表示画面の模式図である。
【図７】本発明の実施の形態３による携帯情報端末装置の電話アプリケーション起動中の表示装置の模式図である。
【図８】上記実施の形態３による携帯情報端末装置の動作の説明を行うための通話不成立時の電話アプリケーションの表示画面を示す図である。
【図９】上記実施の形態３による携帯情報端末装置のToDo一覧表示モード画面の模式図である。
【符号の説明】
【００６４】
１    入力装置
２    入力制御部
３    入力手段
４    表示装置
５    表示制御部
６    表示装置
７    通信装置
８    通信制御部
９    通信手段
１０  全体制御部
１１  信号バス
１２  データ参照手段
１３  データ変換手段
１４  データベース管理部
１５  電話データベース
１６  メールデータベース
１７  アドレスデータベース
１８  スケジュールデータベース
１９  世界時計データベース
２０  記憶手段
２１  日時取得部
２２  時計装置
２３  日時取得手段
２４  他通信端末
３０  入力装置有効領域
３１  表示装置有効領域
３２  アプリケーション選択ボタン
３３  電話操作、電源操作ボタン
４０  スケジュールデータ表示領域  
４１  通信記録  
４２  スケジュール表示モード変更ボタン
４３  スケジュールデータ表示月変更ボタン
４４  スケジュールデータ表示週変更ボタン
４５  詳細通信記録表示ボタン
４６  電話着信制御設定ボタン
５０  電話番号入力ボタン
５１  電話番号クリアボタン
５２  機能呼び出しボタン
５３  電話情報表示領域
５４  着信規制中情報表示
６０  アドレス帳データ表示領域
６１  アドレス帳表示モード変更ボタン
６２  ５０音分類タグボタン
６３  電話着信制御設定ボタン
６４  名前情報データ兼詳細情報表示ボタン
６５  電話番号情報兼電話機能呼び出しボタン
６６  前ページ表示ボタン
６７  次ページ表示ボタン
５０  電話番号入力ボタン
５１  電話番号クリアボタン
５２  機能呼び出しボタン
５３  電話情報表示領域
８０  発信先時差情報表示
８５  ToDoデータ登録情報表示
９０  ToDoデータ表示領域
９１  ToDoデータ表示モード切替えボタン
９２  未処理ToDoデータ／処理済みToDoデータ表示選択ボタン
９３  ToDoデータ処理／未処理変更ボタン
９４  電話通話不成立ToDoデータ
９５  電話番号情報兼電話機能呼び出しボタン
１０４  アドレス帳電話発信回数表示項目
【図１】
2004260864.tif 000003
【図２】
2004260864.tif 000004
【図３】
2004260864.tif 000005
【図４】
2004260864.tif 000006
【図５】
2004260864.tif 000007
【図６】
2004260864.tif 000008
【図７】
2004260864.tif 000009
【図８】
2004260864.tif 000010
【図９】
2004260864.tif 000011